(57)【要約】【課題】キャンプや被災地などで使用可能であり、組み立てが容易な折畳み式建屋を提供する。【解決手段】長手方向の対向する２面に扉部３が設けられ、壁部２は隣り合う各面が折れ目３２を介しそれぞれ連設され筒状に構成される。天井及び底面を構成する壁部２の略中央には、扉部に向かって長手方向に一端から他端に亘る折れ目２３が設けられている。扉部３は面の中央に折れ目２３のない壁部２と折れ目３１を介して連設されており、観音開き式の２枚の扉で構成される。扉部３と壁部２は外装材２１で一体形成されており、内側には緩衝材２２が設けられる。緩衝材２２は扉部３が閉められている際には扉部３と当接し、該扉部３が内部に押し込まれないよう扉部と壁部とが内側でなる角が９０°となるよう保持する。そして、扉部３が閉められている際に扉部３が外側に開かないよう、扉部３の一部分と壁部２の一部分とを係止部材４で連設している。【選択図】図１
2013159988.tif 000002
【特許請求の範囲】
【請求項１】
対向する２面に設けられた扉部と、扉部以外の面が連設した壁部とで構成される筐体であって、
１面又は対向する２面の壁部略中央に、扉部に向かって一端から他端に亘る折れ目が設けられ、
扉部と隣り合う折れ目のない壁部とが折れ目を介して連設され、
扉部が其々の壁部との折れ目を支点にして外側に開くように構成されていると共に、
扉部が閉められている際に扉部と隣接する少なくとも一つの壁部とが内側で成す角度が９０°を保持することができるよう、壁部内側の扉部が当接する部分に緩衝材が設けられるとともに、扉部と壁部とを係止するための係止手段を筐体内部に設けることを特徴とする折畳み式建屋。
【請求項２】
前記扉部と壁部が合成樹脂の外装材で構成され、少なくとも壁部のうち底面となる面の内側に緩衝材が設けられることを特徴とする請求項１に記載の折畳み式建屋。
【請求項３】
前記扉部と壁部が、合成樹脂の外装材の内側に折畳み可能に処理された緩衝材を設けることによって構成され、扉部が閉められている際に該緩衝材が扉部と当接するように構成されていることを特徴とする請求項１又は２に記載の折畳み式建屋。
【請求項４】
前記係止手段が扉部の一部分と壁部の一部分とを係止部材で連結することにより扉部と隣接するいずれかの壁部とが内側で成す角度が９０°を維持することができるようにしたことを特徴とする請求項１乃至３のいずれかに記載の折畳み式建屋。
【請求項５】
前記筐体が６面体からなり、対向する２面の壁部略中央に設けられる折れ目が天井及び底面を構成する壁部に設けられており、扉部が観音開き式の２枚の扉で構成されることを特徴とする請求項１乃至４のいずれかに記載の折畳み式建屋。
【発明の詳細な説明】
【技術分野】
【０００１】
本発明は、キャンプ等で用いられる個人用のテントとして、あるいは被災地等で用いられる個人用シェルターとして用いることのできる、折畳み可能な簡易建屋に関する。
【背景技術】
【０００２】
キャンプ等で屋外に野宿する際や被災地などにおいて、休憩や着替え、授乳や携帯電話の使用、トイレなどのため、外部から見られないようプライベート空間を確保するための簡易建屋が必要とされる。これら簡易建屋は常時使用するものではないので、折畳み収納し長期保存が可能で、必要時に容易に組み立てることができるものが求められている。
【０００３】
例えば、特許文献１において、図１０（Ａ）に示すように、皿状の床部と、床部上に載置される窓部や扉部の切れ目が設けられた壁部と、壁部の上端に嵌合して配設される屋根部と、壁部により支持される梁部とで構成されることを特徴とするダンボール製の緊急時用シェルターが開示されている。また、特許文献２には、折畳みを一側面の大きさとなるようにするとともに、組み立て作業が容易になすような図１０（Ｂ）に示す合成樹脂製の保管輸送箱が開示されている。
【先行技術文献】
【特許文献】
【０００４】
【特許文献１】実用新案登録第３１３５７５８号公報
【特許文献２】特開平０８−７２８６９号公報
【発明の概要】
【発明が解決しようとする課題】
【０００５】
しかしながら、特許文献１に開示される緊急時用シェルターは床、壁、屋根、梁がそれぞれ別部材で構成されるため、組み立てるのが容易ではない。また、特許文献２に開示される箱は人が内部で休憩できる構成とはなっておらず、人の出入りもできる構成ではない。
【０００６】
本発明は以上のような事情に鑑みて成されたものであり、その目的は組み立て容易で軽量な折畳み式建屋を提供することにある。
【課題を解決するための手段】
【０００７】
本発明は上記目的を達成するため、対向する２面に設けられた扉部と、扉部以外の面が連設した壁部とで構成される筐体であって、１面又は対向する２面の壁部略中央に、扉部に向かって一端から他端に亘る折れ目が設けられ、扉部と隣り合う折れ目のない壁部とが折れ目を介して連設され、扉部が其々の壁部との折れ目を支点にして外側に開くように構成されていると共に、扉部が閉められている際に、扉部と少なくとも一つの壁部とが内側で成す角度が略９０°を保持することができるよう、壁部内側の扉部が当接する部分に緩衝材が設けられるとともに、扉部と壁部とを係止するための係止手段を筐体内部に設けることを特徴とする折畳み式建屋を提供する。
【０００８】
又、上記のように構成される折畳み式建屋において、前記扉部と壁部が合成樹脂の外装材で構成され、少なくとも壁部のうち底面となる面の内側に緩衝材が設けられることを特徴とする。
【０００９】
加えて、前記扉部と壁部が、合成樹脂の外装材の内側に折畳み可能に処理された緩衝材を設けることによって構成され、扉部が閉められている際に該緩衝材が扉部と当接するように構成されていることを特徴とする。
【００１０】
又、前記係止手段が扉部の一部分と壁部の一部分とを係止部材で連結することにより扉部と隣接するいずれかの壁部とが内側で成す角度が略９０°を維持することができるようにしたことを特徴とする。
【００１１】
又、前記筐体が６面体からなり、対向する２面の壁部略中央に設けられる折れ目が天井及び底面を構成する壁部に設けられており、扉部が観音開き式の２枚の扉で構成されることを特徴とする。
【発明の効果】
【００１２】
本発明に係る折畳み式建屋は、各面が連設されているため、部材が分かたれることなく、一体となっており、筐体を一面の大きさに折畳むことができるので保管や輸送に好適である。キャンプなどで使用する時には車両の屋根に載せて運ぶことができるため、使用者がキャンピングカーを所有しなくても、本折畳み式建屋を野外で組み立てれば簡単にプライベート空間を確保することができ、野外体験がし易くなる。
【００１３】
また、工具不要で組み立てることができ、付属品の管理の必要がない。さらに５分程度で組み立て完了できるほど組み立てが容易である。また、合成樹脂製であり、長期保存が可能で経年変化による損傷が少ない。そのため災害時に使用される個人用シェルターとして保管と設置が容易である。
【００１４】
さらに、外装材の内側に緩衝材を設けることにより、クッション性を高めるだけでなく、断熱効果や防音効果を高めることができる。また、例えば夏等に使用する際、保温効果は必要としないため、床部となる部分のみに緩衝材を設ければよいし、内部で寝袋を使用して寝るのであれば緩衝材は不要となるから、壁部と扉部の内側の角度が略９０°に保持できるようにするための必要最低限の緩衝材を壁部内側の扉部が当接する一部分に設ければ良い。このように使用者の好みに応じての実施が可能である。
【００１５】
加えて、内部に係止手段を設けているので、内部からのみ扉を開閉できる構成となっている。そのため外部からの侵入が不可能となり、鍵と同等の役割を果たすため、野外での野生動物や不審者の侵入を防ぐことができ、安心感を得られる。
【００１６】
さらに、壁部内側の扉部が当接する部分に緩衝材が設けられるとともに、扉部と壁部とを係止するための係止手段を筐体内部に設けることにより、扉部が閉められている際に扉部と隣接するいずれかの壁部とが内側で成す角度が略９０°となるように保持することができる。これによりモノコック構造を維持できるため、折畳み可能で容易に組み立てることができ、かつ強度を得られる。
【００１７】
又、６面体で構成される場合、対向する２面の壁部略中央に設けられる折れ目が天井及び底面を構成する壁部に設けられていることにより、組み立ての際に左右に広げればよく、組み立てやすい。また、扉部が観音開き式の２枚の扉で構成されることにより、安定性も良い。
【図面の簡単な説明】
【００１８】
【図１】本発明に係る折畳み式建屋を示す斜視図
【図２】図１に示した折畳み式建屋の組み立て方法を示す図
【図３】図２（３）の（１）A−A断面図、（２）C−C断面図、（３）B−B断面図
【図４】外装材の外形を示す（Ａ）平面図（Ｂ）側面図（Ｃ）正面図
【図５】取付金具の説明図
【図６】スリット部分の拡大図
【図７】折畳み状態保持手段を設けるための切欠き部の部分拡大図
【図８】係止場所の例を示す説明図
【図９】一枚扉の実施例を示す斜視図
【図１０】従来例を示す参考図
【発明を実施するための形態】
【００１９】
以下、図面に基づいて本発明を詳しく説明する。先ず、図１及び図２により本発明に係る折畳み式建屋１の構成を概説すると、本例では６面体の直方体の筐体であって、長手方向の対向する２面に扉部３が設けられるとともに、壁部２は隣り合う各面が折れ目３２を介しそれぞれ連設され、筒状に構成される。天井及び底面を構成する壁部２の略中央には、扉部に向かって長手方向に一端から他端に亘る折れ目２３が設けられている。扉部３は面の中央に折れ目２３のない壁部２と折れ目３１を介して連設されており、観音開き式の２枚の扉で構成される。扉部３と壁部２は合成樹脂製の外装材２１で一体形成されており、内側には緩衝材２２が設けられる。壁部２に設けられている緩衝材２２Ｂの扉部側の端部は扉部３が閉められている際には扉部３と当接し、該扉部３が内部に押し込まれないよう、壁部２と扉部３とが内側でなす角を略９０°となるよう保持し、筐体がモノコック構造を保持できるようにされている。そして、扉部３が閉められている際に扉部３が外側に開かないよう、扉部３の一部分と壁部２の一部分とを係止部材４で連結している。
【００２０】
折畳み式建屋１の大きさとしては、概ね縦８０〜１２０ｃｍ×横１５０〜２５０ｃｍ×高さ８０〜１２０ｃｍであり、本例では約縦１ｍ×横２ｍ×高さ１ｍ程度で約１畳程度の空間となるようにすることが望ましい。内部空間がこれよりも狭いと使用者に圧迫感を与え、逆に広いと強度の点で問題が生じるためである。
【００２１】
外装材２１は図４に示す外形を成している。ポリプロピレン、ポリエチレン、ポリスチレン、ABS樹脂、アクリル、ポリ塩化ビニル等の熱可塑性樹脂を使用できるが、環境にやさしく、リサイクル性に優れ、燃やしてもダイオキシンや塩化水素などの有害ガスを発生しないポリプロピレン素材で成形した三層複層パネルを使用することが望ましい。円柱状に真空成形したシートと上下2枚のシートを熱溶着させ、空気を密封した3層構造中空積層板などを使用できる。設置時及び折畳みの際に形状を維持できるようにするため、外装材は剛性が高く、軽量のものを使用するのが望ましい。また、屋外で使用するので防水性があり、紫外線に対する劣化抑制処理がなされていることが好ましい。本例では５ｍｍ厚の外装材を使用しており、外装材のみの重量は１３ｋｇ程度となる。
【００２２】
外装材２１には扉部方向に一端から他端に亘って折れ目２３、３１、３２が予め設けられており、この折れ目を介して各面が連設し、一体構造を成しているので、組み立てた場合にモノコック構造を維持でき、強度を発揮するようになる。折れ目２３、３１、３２は成形段階で折れ目の部分が薄肉となるように構成してもよいし、熱罫線加工や押刃による加工などにより設けることができる。また、折れ目のない壁部２の扉部側の端部の外装材２１には庇部２４が設けられている。天井にあたる壁部２に設けられている庇部２４Ａにより、雨が内部に侵入するのを防ぐことができる。また、床部にあたる壁部２に設けられている庇部２４Ｂにより、扉部３を閉める際に泥や石、草の侵入を防ぐことができる。
【００２３】
緩衝材２２はポリウレタンや発泡ポリスチレンなどの軟質合成樹脂も使用できるが、化学発泡剤を用いない超臨界窒素ガス発泡方式で製造した、ポリオレフィン系およびエンジニアリングプラスチックの発泡体などを使用することが望ましい。緩衝材２２は断熱性や防音性、クッション性をもつことが好ましい。本例では２７ｍｍ厚程度のものを使用している。
【００２４】
緩衝材２２は外装材２１の内部に接着剤やテープなどで貼着される。折畳む際に緩衝材同士が干渉しないよう、折れ目３１、３２の部分においては外装材よりも小さくなるよう処理されている。図３に示すように、折れ目２３に添うよう、長手方向に天井２枚、底面２枚の緩衝材２２Ｂが外装材２１に配設され、折れ目のない壁部２の内側は一枚の緩衝材で構成される。なお、折り目２３の位置に合わせて接合するようにすれば、複数の緩衝材をタイル状に貼着しても良い。また、折れ目２３に添って緩衝材に切り込みを設けておくのでもよい。また扉部３は左右の外装材の内側に一枚ずつ緩衝材が配設される。緩衝材２２には係止手段を設けるため、さらには折畳み状態を保持するための手段を設けるため、切欠き部５が設けられている。
【００２５】
扉部３に設けられている緩衝材２２Ａは、壁部２の内側に設けられた緩衝材２２Ｂと当接することにより、扉部３が閉められている際に該扉部３が内側に入り込まないよう、壁部２と扉部３が内側でなす角度を略９０°に保持することができ、筐体をモノコック構造に保持することができる。
【００２６】
なお、緩衝材２２が外装材の内側全面に設けられない場合であっても、筐体がモノコック構造を維持できるよう、扉部近傍の天井や底面の一部分のみに緩衝材２２を設けておいてもよい。この場合、緩衝材２２が扉部３の外装材２１内側と当接することとなる。また、緩衝材２２は底面にあたる壁部２のみに緩衝材を設けてもよい。この場合、保温効果は下がるが、寝袋などを内部に運び入れればよく、かえって夏場などには好適に使用でき、また、軽量となるため持ち運びが容易になる。
【００２７】
扉が閉められた際に、扉部３が外側に開かないようにするため、扉部３の一部分と壁部２の一部分とを係止手段で連設することにより、扉部３のモノコック構造を維持できる。係止手段について、具体的には図６に示すように、緩衝材５に切欠き部５を設け、外装材２１にはスリット５１を設ける。そして図５の（ａ）に示すようにコ字型等の金具５２は台座上面５２Aに粘着テープなどの接着剤が貼着されており、離型シート５３が被覆してある。離型シート５３を剥がし、金具５２を図５の（ｂ）に示すようにスリット５１に押し込む。すると図５の（ｃ）に示すように外装材２１に金具５２が挿着され、筐体の内側に金具のフック受け部５２Ｂが突出した状態で固定される。図１及び図３の（Ｂ）に示すように、この係止手段は壁部２と扉部３に設けられているので、フックを端部に有するベルト４を前記フック受け部５２Ｂに掛合させ、壁部２と扉部３を連結させる。
【００２８】
ベルト４はフックを端部に有する紐状のものを使用する。ワイヤー、布製繊維、合成繊維など使用できるが、引張に対する強度がある方が好ましい。このベルトは内部で係止手段として用いられるだけでなく、図２の（Ａ）に示すように、折り畳んだ際に対向する扉のフック受け部同士を引っ掛けて係止するためにも用いられる。この距離を最大の長さとしてベルトを構成し、内部の係止手段として用いる際にはベルトを短くして調節することにより、１本のベルトで応用が可能である。
【００２９】
係止手段の配設位置については図８に示す通りである。なお、図中の（Ａ）は平面から見た図、（Ｂ）は側面から見た図、（Ｃ）は正面から見た図を示す。（１）は本例で述べるとおりであるが、天井にあたる壁部２の中央付近と扉部の中央付近を係止するものである。これにより、使用者が床面に寝た場合でもベルトが邪魔にならないという利点がある。（２）は側面に該当する壁部２と扉部３を係止するものである。この例によれば、目の高さにフック受け部５２Ｂがあるので、ベルトを掛けやすいという利点がある。しかし室内の使い方に制限が生じる。（３）は扉部近くの天井及び底面に該当する壁部２と扉部３とを係止する方法である。天井側と底面側で内部応力が反作用の力となって、力のつり合いが取れるので安定性が保たれるが、金具の数が６か所必要となり、また室内も制限されることとなる。（４）は扉同士を係止する方法である。金具の数は少なくて済むが室内がとても制限される。（５）は（１）と上下反転させた例であるが、室内が制限されることとなる。
【００３０】
また、窓６を適宜設けることができる。外装材２１に切り込みを入れるとともに、その部分に該当する緩衝材２２を切り抜いておき、内部から外装材２１を押して外部を確認できるようにすることも可能である。
【００３１】
さらに、折畳み後に保管や輸送を簡便にするため、折畳み状態の保持手段を設けることが望ましい。図２の（Ａ）及び図７に示すように、扉３の内側に設けられた緩衝材を一部切欠き５、外装材２１の内側に面ファスナー５５Aを融着させる。この面ファスナー５５Aと係着する面ファスナー５５Bによって、折り畳んだ状態において、対向する扉３が係止される。
【００３２】
加えて、扉部３は観音開き式の２枚の扉で構成されており、左右に略２７０°回転するようになっている。扉部が閉められている際に筐体がモノコック構造を保持することができる。なお、扉部２が上下方向に開閉する二枚の扉で構成されてもよい。この場合、折れ目２３は側面をなす壁部に設けられることとなる。図１に示す筐体を略９０°回転させて使用する形態となる。
【００３３】
折れ目２３は本例においては天井及び底面に設けられているが、組み立て時に左右に広げればよく、折れ目２３が側面に設けられている場合に比して組み立て易いという利点がある。無論、折れ目２３を側面をなす壁部に設けることもできるが、この場合、扉３は上下方向に回転して開くように構成される。
【００３４】
使用方法について説明する。図２の（Ａ）は折畳み状態を示す図である。金具５２に係止されているベルト４を外し、面ファスナー５５も取外して折れ目が入っている面が上下となるようにする。そして図２（Ｂ）に示すように左右に広げ、その後一方の側の扉部を閉じ、他方の扉部の片方のみを閉じて緩衝材２２Ｂに当接させる。開口部から内部に入り、残りの扉部を占め、それぞれの扉の金具にベルト４のフックを引っ掛けてベルトが張力状態となるよう、長さを調節する。すると外面からは図２（Ｃ）のような筐体となる。
【実施例１】
【００３５】
図９に本発明の別の実施例を説明する。筐体が６面体からなり、対向する２面の壁部略中央に設けられる折れ目２３が天井及び底面を構成する壁部２に設けられており、扉部３が一枚の扉で構成されることを特徴とするものである。外装材２１、緩衝材２２の材質を始め、基本的構成は前述のとおりであり、異なる点のみを説明する。
【００３６】
扉部３が１枚で構成されており、天井及び床面にあたる壁部２に折れ目２３を設ける場合、横方向に略２７０°扉を開閉できるように設ける。この場合は支点ではない側の中央部内側に金具５２を配置する。対向する側の扉も同じ側に金具５２を設け、これらの金具５２同士を連結できるようにベルト４を掛合する。室内を制限しないようにするため、支点を同じ側に設けることが好ましい。この実施例によれば室内があまり制限されることもないし、折り畳む際に対向する扉部が同じ側に２７０°回転するので、保管時の安定性も増す。一方、側面にあたる壁部２に折れ線２３がくる場合は、扉部３は上下方向に開閉するような構成とする。この場合も支点ではない側の扉中央部に金具を配置し、対向する側の金具にベルトを掛合するように設け、室内を制限しないようにするため、支点を同じ側に設けることが好ましい。
【実施例２】
【００３７】
本発明にかかるさらに別の実施例を説明する。筐体が三角テント状になるような五面体における実施例である。扉部を三角形状とし、壁部が長方形であり、壁部を構成する３面が折れ目３２を介して連結している。そして、壁部のいずれか１面には折れ目２３が設けられる。扉部３は折れ目２３のない面と折れ目３１を介して連結される。底面となる部分に折れ目２３が設けられる場合、三角扉は斜め下から斜め上に向かって開くこととなる。金具５２は支点となる折れ目３１と対向する角部に設けられる。対向する側の扉部に金具を設け、これらにベルトを掛合することにより、モノコック構造を維持する。この場合も扉部と底面となる壁部２は略９０°に維持される。
【符号の説明】
【００３８】
１  折畳み式建屋
２  壁部
２１  外装材
２２  緩衝材
２３  折れ目
２４  庇部
３    扉部
３１、３２  折れ目
４    ベルト
５    切欠
５１  スリット
５２  金具
５３  離型シート
５５  面ファスナー
【図１】
2013159988.tif 000003
【図２】
2013159988.tif 000004
【図３】
2013159988.tif 000005
【図４】
2013159988.tif 000006
【図５】
2013159988.tif 000007
【図６】
2013159988.tif 000008
【図７】
2013159988.tif 000009
【図８】
2013159988.tif 000010
【図９】
2013159988.tif 000011
【図１０】
2013159988.tif 000012